(57)【要約】　　　（修正有）【課題】物置板の構造を強化し、位置合せを精密にすることができ、コストを低減して生産効率を向上できる組合せ式棚の構造を提供する。【解決手段】物置板１に組合わせるための複数の棚脚ロッドと、四周面に折り溝１１と折りエッジ１２と、貫通孔１３と定位孔１４とが設けられている複数の物置板１と、一側にネジ付きブッシュが、その近傍に定位突起２２が設けられる。定位突起２２を物置板１０の定位孔１４に入れてネジ付きブッシュを貫通孔１３に合わせて、スポット溶接などの結合方法にて物置板１０の四コーナーに固定されている複数のコーナー金２と、前端にＵ型の係合部が設けられ、前面に長形孔が設けられ、前面の上下端にサイドプレートが設けられている複数の連接金から構成される。【選択図】　図４
0003099401.tif 000002
【実用新案登録請求の範囲】
【請求項１】
物置板に組合わせるための複数の棚脚ロッドと、
四周面に折り溝と折りエッジとが設けられ、折り溝のコーナーに隣接する箇所に貫通孔と定位孔とが設けられている複数の物置板と、
一側にネジ付きブッシュが設けられ、前記ネジ付きブッシュの近傍に定位突起が設けられ、前記定位突起を物置板の定位孔に入れてネジ付きブッシュを貫通孔に合わせると、スポット溶接などの結合方法にて物置板の四コーナーに固定されている複数のコーナー金と、
前端にＵ型の係合部が設けられ、前面に長形孔が設けられ、且つ前面の上下端にサイドプレートが設けられている複数の連接金と、を含み、
連接金のＵ型の係合部を棚脚ロッドに組立てて、ネジを長形孔に通過して物置板のネジ孔に締め付けると、組合せ棚が完成することを特徴とする組合せ式棚の構造。
【請求項２】
物置板における折り溝と折りエッジとの間の接合コーナーは、円弧形接合口に形成されていることを特徴とする請求項１に記載の組合せ式棚の構造。
【考案の詳細な説明】
【０００１】
【考案の属する技術分野】
この考案は、材料を節約し生産プロセスを簡単化することにより、コストを低減し生産効率を向上することができる組合せ式棚の構造に関する。
【０００２】
【従来の技術】
従来から資金と設備と生産技術との要求はそれほど高くないため、一般の標準部品ならば、多数のメーカは短期間に生産でき、中国および東南アジアの各国は国際市場を奪い続けているので、競争者の脅威が強化し続けている。よって、製品の構造を高付加価値へ転換し、製品のレベルを向上することによって、国際的な競争者の脅威に面することが必要になっている。
【０００３】
図１、図２、および図３を参照する。これらの図面に示す組合せ棚は、この考案の出願人の以前の発明である。上記組合せ棚は、予定の数量の棚脚ロッド５０と、物置板１０と、矩形チューブ２０と、連接金３０と、から構成されているものであって、前記矩形チューブ２０が溶接にて物置板１０の折り溝１０１内に接合され、前記矩形チューブ２０の円弧形接合口２２０の構造の成型プロセスは極めて複雑であり、且つネジ４０を定位して締め付けるために別に裏側にネジ付きブッシュ２１０を設けることが必要である。
【０００４】
これは次のような欠点があった。
（イ）矩形チューブ２０の材料は厚くて重く、体積も大きいので、材料の無駄なコストが増加する。
（ロ）矩形チューブ２０の裏側にネジ付きブッシュ２１０を設けるプロセスは極めて複雑なので、製造コストが増加する。
【０００５】
【考案が解決しようとする課題】
この考案の主な目的は、矩形チューブの代わりにコーナー金を使用し、前記コーナー金を物置板の円弧形接合口に入れ、前記コーナー金にある定位突起を物置板にある定位孔に嵌めることにより、ネジ付きブッシュを貫通孔に合うようにした後、コーナー金を物置板の四コーナーに溶接し固定することによって、物置板の構造を強化し、位置合せを精密にすることができる組合せ式棚の構造を提供することである。
この考案の次の目的は、材料を節約し生産プロセスおよび組合せプロセスを簡単化することにより、コストを低減し生産効率を向上できる組合せ式棚の構造を提供することである。
【０００６】
【課題を解決するための手段】
上記目的を達成するためになされた本考案の請求項１は、主に、物置板に組合わせるための複数の棚脚ロッドと、四周面に折り溝と折りエッジとが設けられ、折り溝のコーナーに隣接する箇所に貫通孔と定位孔とが設けられている複数の物置板と、一側にネジ付きブッシュが設けられ、前記ネジ付きブッシュの近傍に定位突起が設けられ、前記定位突起を物置板の定位孔に入れてネジ付きブッシュを貫通孔に合わせると、スポット溶接などの結合方法にて物置板の四コーナーに固定されている複数のコーナー金と、前端にＵ型の係合部が設けられ、前面に長形孔が設けられ、且つ前面の上下端にサイドプレートが設けられている複数の連接金と、を含み、連接金のＵ型の係合部を棚脚ロッドに組立てて、ネジを長形孔に通過して物置板のネジ孔に締め付けると、組合せ棚が完成することを特徴とする組合せ式棚の構造であることを要旨としている。
本考案の請求項２では、物置板における折り溝と折りエッジとの間の接合コーナーは、円弧形接合口に形成されていることを特徴とする請求項１に記載の組合せ式棚の構造であることを要旨としている。
【０００７】
【考案の実施の形態】
まず、図４、図５、および図６を参照して、この考案に係る組合せ式棚の構造を詳細に説明する。
この考案に係る組合せ式棚の構造の一実施例は、矩形チューブ２０の代わりにコーナー金２を使用し、前記コーナー金２を物置板１の円弧形接合口１２０に入れ、前記コーナー金２の二側面の間には円弧形接合面２３が設けられており、前記円弧形接合面２３は円弧形接合口１２０の形状とぴったり合い、且つ前記コーナー金２の一側の表面にはネジ孔２１と定位突起２２とが設けられており、前記コーナー金２にある定位突起２２を折り溝１１の定位孔１４に入れて、前記コーナー金２の他側を折りエッジ１２に付けると、接合コーナー１２３が形成される。上記の構成により、定位を精密にし、溶接にて構造を補強することができる。
【０００８】
次に、ネジ４を連接金３にある長形孔３１に通過させ、連接金３にあるサイドプレート３３を物置板１の折り溝１１に合わせると、連接金３にある長形孔３１がちょうど折り溝１１にある貫通孔１３とぴったりと合い、また、ネジ４を連接金３に締め付けることができる。また、前記連接金３の一端にはＵ型の係合部３２が設けられており、ネジ４を前記連接金３に通過して折り溝１１にあるネジ孔１３に締め付けることにより、前記連接金３が棚脚ロッド５に拘束され、且つ係合部３２の底面は棚脚ロッド５の間にあるレバー６に支持されるので、組合せ式棚が構成される。
【０００９】
【考案の効果】
この考案は次の効果がある。
（イ）矩形チューブ２０の代わりにコーナー金２を使用することにより、素料を節約することができる。
（ロ）矩形チューブ２の裏側にネジ付きブッシュ２１０の代わりに、コーナー金２の一側にネジ孔２１を設けることにより、製造プロセスを簡単にすることができる。
（ハ）ネジ孔２１の近傍に定位突起２２が設けており、前記定位突起２２を折り溝１１にある定位孔１４に入れると、位置合せを精密にして溶接し接合することができる。
（二）前記連接金３のＵ型の係合部３２は棚脚ロッド５に拘束されるので、ネジ４を長形孔３１に通過して物置板１にあるネジ孔１３に締め付けることができる。
【図面の簡単な説明】
【図１】従来の物置板の接合コーナーを示す外観斜視図および部分拡大図である。
【図２】従来の物置板の接合コーナーを示す分解斜視図およびチューブの断面図である。
【図３】従来の係合部を棚脚ロッドに組立てる方法を示す分解斜視図および部分拡大図である。
【図４】本考案の一実施例による組合せ式棚の構造を示す分解斜視図である。
【図５】本考案の一実施例による組合せ式棚の構造の物置板の接合コーナーを示す外観斜視図およびＡ−Ａ線の断面図である。
【図６】本考案の一実施例による組合せ式棚の構造の係合部を棚脚ロッドに組立てる方法を示す分解斜視図である。
【図７】本考案の一実施例による組合せ式棚の構造を示す外観斜視図および連接金のＡ−Ａ線の断面図である。
【符号の説明】
１　　物置板
２　　コーナー金
３　　連接金
４　　ネジ
５　　棚脚ロッド
６　　レバー
１０　　物置板
１１　　折り溝
１２　　折りエッジ
１３　　ネジ孔
１４　　定位孔
２０　　矩形チューブ
２１　　ネジ孔
２２　　定位突起
２３　　円弧形接合面
３０　　連接金
３１　　長形孔
３２　　係合部
３３　　サイドプレート
４０　　ネジ
５０　　棚脚ロッド
１０１　　折り溝
１２０　　円弧形接合口
１２３　　接合コーナー
２１０　　ネジ付きブッシュ
２２０　　円弧形接合口
【図１】
0003099401.tif 000003
【図２】
0003099401.tif 000004
【図３】
0003099401.tif 000005
【図４】
0003099401.tif 000006
【図５】
0003099401.tif 000007
【図６】
0003099401.tif 000008
【図７】
0003099401.tif 000009